(57)【要約】【課題】吸引装置のノズルの径を意識することなく使用することができ、外面で積層されたり隣接された他の例えば密閉袋を損傷することがなく、また積層させた又は隣接させた荷姿が平坦で安定した状態とする。【解決手段】孔が形成された密閉袋の外面側に取り付けられ、その中央部に通気口２ａが形成された吸引接続部２を平坦状とし、密閉袋の内面側に取り付けられる弁基材３を断面窪状とした。このようにすることで、密閉袋の外面で突出した接続部に吸引装置のノズルを接続するものとは異なり、吸引接続部２の通気口２ａを覆うように該ノズルを当接させるだけでよいからノズル径を意識することなく使用でき、また、密閉袋の外面に突出する部分がなくなるので外面で積層させたり隣接させた他の例えば密閉袋を損傷することがなく、また積層させた又は隣接させた荷姿が平坦で安定した状態とすることができる。【選択図】        図１
2005035562.tif 000002
【特許請求の範囲】
【請求項１】
外気を遮断して内容物を格納する密閉袋に取り付けられ、密閉袋の内部の空気を排気する時に弁を開き、排気の停止時に弁を閉じるように構成した弁機構において、孔が形成された密閉袋の外面側に取り付けられ、その中央部に通気口が形成されると共に該密閉袋の外面側に突出した部分のない形状とされた吸引接続部と、密閉袋の内面側に取り付けられ、断面窪状とされると共に平面視中央部に吸引開口が形成され、その周縁部が前記吸引接続部と前記密閉袋を挟んだ状態で結合する弁基材と、この弁基材の内部で前記吸引開口に設けられ、前記通気口から吸引されることで該吸引開口を開き、吸引を停止したときには該吸引開口を閉じる弁本体と、を備えたことを特徴とする弁機構。
【請求項２】
弁基材に弾性質のリング部材を一体的に取り付け、吸引接続部における前記弁基材のリング部材取り付け位置に対応する位置に凹状部を形成したことを特徴とする請求項１記載の弁機構。
【請求項３】
弁基材の吸引接続部と結合する面とは反対の面に、吸引開口の周辺部から延びる突条を形成したことを特徴とする請求項１又は２記載の弁機構。
【請求項４】
吸引接続部の通気口周辺に、密閉袋の内部の空気を排気する際に使用する吸引装置の負荷を抑制する負荷抑制手段を設けたことを特徴とする請求項１〜３のいずれかに記載の弁機構
【発明の詳細な説明】
【０００１】
【発明の属する技術分野】
本発明は、吸引装置のノズルの径を意識することなく使用することができ、外面で積層されたり隣接された他の例えば密閉袋を損傷することがなく、また積層させた又は隣接させた荷姿が平坦で安定した状態とすることができる弁機構に関するものである。
【０００２】
【従来の技術】
従来、外気を遮断して内容物を格納する袋としては、例えば内部の空気を強制的に吸引して排気分の体積と内容物（圧縮可能なものの場合）の体積とを減少させた状態とする密閉及び圧縮袋が知られている。以下、圧縮及び密閉袋を総称して本願では特に必要のない場合には単に「密閉袋」ということとする。
【０００３】
上記密閉袋には、内部の空気を強制的に吸引して排出し終えたときに内部の負圧によって外気が流入しないように内外部を遮断する弁機構（例えば特許文献１及び特許文献２参照）が設けられていることがある。
【０００４】
【特許文献１】
特開平６−２２７５５１号公報（請求項１、第４図）
【特許文献２】
実開平４−１３２０４３号公報（請求項１、第２図、第３図）
【０００５】
【発明が解決しようとする課題】
しかしながら、上記した特許文献１及び特許文献２では、密閉袋における弁機構取付面に、吸引装置のノズルを接続するための接続部が突出しており、その結果、次の不具合が生じる。すなわち、従来の弁機構は、弁機構取付面から突出した接続部の形状に対して、ノズルの径（形状）が合わないといった問題がある。
【０００６】
また、密閉袋における弁機構取付面から接続部が突出すると、内容物を格納した密閉袋を積層したときに、この突出した部分に上方の荷重が集中し、その応力で上方の内容物を損傷させてしまう可能性がある。さらに、積層したときに荷姿が平坦にならず、弁機構取付部位が次第に盛り上がって全体が傾斜してしまい、内容物を格納した多くの密閉袋を積層できない可能性があった。
【０００７】
さらには、密閉袋における弁機構取付面から接続部が突出していると、この突出部が引っ掛かったりして、他の例えば上記したように積層した密閉袋を損傷してしまう可能性もあった。
【０００８】
本発明は、上記の問題を解決するものであり、吸引装置のノズルの径を意識することなく使用することができ、外面で積層されたり隣接された他の例えば密閉袋を損傷することがなく、また積層させた又は隣接させた荷姿が平坦で安定した状態とすることができる弁機構を提供することを目的とする。
【０００９】
【課題を解決するための手段】
上記の目的を達成するために、本発明の弁機構は、孔が形成された密閉袋の外面側に取り付けられ、その中央部に通気口が形成された吸引接続部を該密閉袋の外面側に突出した部分のない形状とし、密閉袋の内面側に取り付けられる弁基材を断面窪状としたのである。このようにすることで、吸引装置のノズル径を意識することなく使用でき、かつ外面で積層されたり隣接された他の例えば密閉袋を損傷することがなく、また積層させた又は隣接させた荷姿が平坦で安定した状態とすることができる。
【００１０】
【発明の実施の形態】
本発明の弁機構は、外気を遮断して内容物を格納する密閉袋に取り付けられ、密閉袋の内部の空気を排気する時に弁を開き、排気の停止時に弁を閉じるように構成した弁機構において、孔が形成された密閉袋の外面側に取り付けられ、その中央部に通気口が形成されると共に該密閉袋の外面側に突出した部分のない形状とされた吸引接続部と、密閉袋の内面側に取り付けられ、断面窪状とされると共に平面視中央部に吸引開口が形成され、その周縁部が前記吸引接続部と前記密閉袋を挟んだ状態で結合する弁基材と、この弁基材の内部で前記吸引開口に設けられ、前記通気口から吸引されることで該吸引開口を開き、吸引を停止したときには該吸引開口を閉じる弁本体と、を備えたものである。
【００１１】
上記構成において、孔が形成された密閉袋の外面側に取り付けられる吸引接続部は、該密閉袋の外面側に突出した部分を形成しない形状とされ、その中央部に通気口が形成されている。吸引接続部において突出した部分を形成しない形状とは、例えば平坦状としたり、あるいは、吸引接続部の周縁部の厚みを超えない範囲で断面円弧状とした形状を意味する。
【００１２】
また、吸引接続部における突出した部分を形成しない形状とは、後述する弁基材の断面窪状に嵌入させたときには、例えば断面窪状の高さを超えない断面円弧状としてもよい。
【００１３】
すなわち、従来は密閉袋の外面側に吸引装置のノズルを接続させるために突出させていたので、例えばノズルの径が合わない事態が生じたり、この突出分が当該密閉袋以外の例えば他の密閉袋を損傷させることがあったが、本発明では、上記したように吸引接続部を、突出した部分が形成されない形状とすることで、ノズルの径を意識する必要がなくどんな径のノズルであっても使用可能となる。
【００１４】
また、密閉袋の外面側に突出物が存在しなくなるので、本発明の弁機構を採用した密閉袋を積層させたり隣接させても他の例えば密閉袋に引っ掛かったりすることがなく、よって他の例えば密閉袋を損傷することがなく、また積層させた又は隣接させた荷姿が平坦で安定した状態とすることができる。
【００１５】
また、密閉袋の内面側に取り付けられる弁本体は、断面窪状とされているが特に断面円弧状とすることで、内容物を格納して密閉袋内部の空気を排出したときには、この弁本体が内容物と密着しても内容物に疵を付けたり痕を残したりすることがなくなる。すなわち、本発明の弁機構は、この断面窪状とされた弁基材側に弁本体を設けることで、密閉袋の外面側へ吸引接続部が突出することを抑制することが可能となっている。
【００１６】
また、本発明の弁機構は、上記構成において、弁基材の、例えば周縁部に、例えば断面窪状の側周面に、弾性質のリング部材を一体的に取り付け、吸引接続部における前記弁基材のリング部材取り付け位置に対応する位置に凹状部を形成したものである。このようにすることで、密閉袋に形成した孔に対して弁機構を取り付ける際、例えばゴムや樹脂製の弾性質のリング部材と凹状部との間で袋が挟まれるからこれら吸引接続部と弁基材を取り付けた部位から外気が流入したりすることがない。また、リング部材を弾性質とすることで、リング部材と凹状部との間で挟まれた袋を破損することが防止される。
【００１７】
また、本発明の弁機構は、上記構成において、弁基材の吸引接続部と結合する面とは反対の面に、吸引開口の周辺部から延びる複数の突条を形成したものである。このようにすることで密閉袋内部の空気を排気しても吸引開口が内容物と密着せず、良好に内部の空気を排出することができる。
【００１８】
さらに、本発明の弁機構は、上記構成において、吸引接続部の通気口周辺に、密閉袋の内部の空気を排気する際に使用する吸引装置の負荷を抑制する負荷抑制手段を設けたものである。負荷抑制手段とは、例えば吸引装置のノズルと吸引接続部との間が密着しないように段部を設けたり、吸引接続部の面を貫通する孔を設けたりする。これにより、吸引装置は、密閉袋の内部の空気を排出し終えた際にも、密閉袋の内部の空気以外の空気を適度に吸引するから負荷が抑制される。
【００１９】
【実施例】
以下に本発明の実施例について図面を参照して説明する。図１及び図２は、本発明の弁機構を示している。図３〜図５は、各々本発明の弁機構の他の実施例構成を示している。本発明の弁機構１は、外気を遮断して内容物を格納する不図示の密閉袋において形成された孔に対して取り付けられ、図１及び図２に示す本実施例では以下のように構成されている。
【００２０】
弁機構１は、上記した密閉袋の孔の外面側に後述するように取り付けられる円形の吸引接続部２を有する。この吸引接続部２を円形とした理由は、密閉袋を破損しないようにするためである。そして吸引接続部２は、本実施例では該吸引接続部２の周縁部の厚みを超えないように密閉袋の外面側へ膨らむ断面円弧状とされ、その平面視中央部に孔が形成されここを通気口２ａとしている。また、吸引接続部２は、後述する弁基材３の周縁部と対向する部位に、凹状部２ｂが形成されている。
【００２１】
さらに、吸引接続部２は、通気口２ａから直径方向外側に向けて溝２ｃが形成されている。この溝２ｃには、ロック部材２Ａがその溝２ｃの方向にスライド移動可能に設けられている。ロック部材２Ａは、溝２ｃから密閉袋の外側に向けて露出した操作部２ｄと密閉袋の内側に向けて突出した脚部２ｅとが一体的に形成されている。
【００２２】
また、本実施例における吸引接続部２には、密閉袋の外面側となる面に段部を設けてここを負荷抑制手段２Ｂとしている。すなわちこの負荷抑制手段２Ｂは、吸引接続部２の上面に吸引装置のノズルが密着しないようにすることで、ノズルからは密閉袋の内部の空気も吸引されるが密閉袋の外部の空気も適度に吸引されることとなり、その結果、密閉袋の内部の空気を排出し終えた際に吸引装置に大きな負荷が急激にかかることが抑制されるのである。
【００２３】
そして、弁機構１は、密閉袋の孔の内面側に後述するように取り付けられる円形の弁基材３を有する。この弁基材３は、断面窪状、本実施例では断面台形状とされ、この内部に流通空間３ａが形成されていると共に、その平面視中央部に吸引開口３ｂが形成されている。さらに、弁基材３の周縁部には弾性質の例えば樹脂製のリング部材３ｃが一体的に取り付けられている。このリング部材３ｃは、吸引接続部２の凹状部２ｂと弾性変形しつつ密閉袋の孔の周縁部を介して嵌合する。
【００２４】
さらに、弁基材３における吸引接続部２と結合する面とは反対の面、つまり密閉袋の内面方向の面には、吸引開口３ｂからの延びる１２本の放射状の突条３ｄが形成されている。この突条３ｄは、吸引開口３ｂへの通気が確保されるように形成されており、必ずしも吸引開口端から延びていなくてもよいし、複数であればその本数に限定はない。
【００２５】
また、この突条３ｄは角を曲面状として内容物との接触時に該内容物を損傷しないように配慮されている。これら、吸引接続部２と弁基材３は、上記したように密閉袋の内面孔の周縁部を挟んで凹状部２ｂにリング部材３ｃを嵌合して一体とし、これにより密閉袋に弁機構１が取り付けられたこととなる。
【００２６】
また、弁機構１は、弁基材３の吸引開口３ｂの開閉を行う弁本体４を有する。弁本体４は、例えばヒンジによって吸引開口３ｂの直径方向一方端を支点として他方端が開閉するように構成されている。そして、弁本体４は、その裏面に樹脂製のシール部材４ａが設けられている。
【００２７】
上記構成の弁機構１は、まず上記したように密閉袋の外側に吸引接続部２を、内側に弁基材３を配し、孔の周縁部に吸引接続部２の凹状部２ｂ及び弁基材３のリング部材３ｃを対向させ、密閉袋の孔の周縁部を挟んで凹状部２ｂにリング部材３ｃを嵌合する。このとき、凹状部２ｂ及びリング部材３ｃで挟まれた密閉袋の孔の周縁部は、リング部材３ｃを弾性質としているため、破損することがなく、また、吸引接続部２及び弁基材３との結合が強固となると共に移動が防止される。
【００２８】
そして、内容物を密閉袋に格納して、密閉袋の開口を閉じた後、図２（ａ）から同図（ｂ）に示すようにロック部材２Ａを溝２ｃに沿ってスライドさせる。これにより、脚部２ｅが弁本体４の上面を押さえている状態から解放され、他端部が開くようになる。
【００２９】
その後、吸引接続部２の上面に、通気口２ａを覆うように吸引装置のノズルを当接させ吸引を開始する。吸引を開始すると、この吸引に伴って弁本体４が一方端を支点として他方端が揺動し、吸引開口３ｂを開く。
【００３０】
そして吸引開口３ｂから流通空間３ａを介して通気口２ａから密閉袋の内部の空気が排出される。このとき、次第に密閉袋の内部の体積が減少して吸引開口３ｂと内容物が密着しようとするが、突条３ｄを形成しているので内容物によって吸引開口３ｂが塞がってしまうことがない。
【００３１】
さらに、吸引を停止したとき、弁基材３と内容物が密着することになるが、また積層時には上方からの荷重で弁基材３と内容物が密着することになるが、特に本実施例では、突条３ｄの角が曲面状とされているから内容物を損傷することが防止される。
【００３２】
吸引を停止すると同時に、吸引装置のノズルでロック部材２Ａの操作部２ｄを溝２ｃに沿って再度吸引接続部２の中央に戻すことで、脚部２ｅによって弁本体４がロックされる。なお、弁本体４は密閉袋の内部の負圧によって内部に吸引された状態となるから、ロック部材２Ａや溝２ｃは自体は必ずしも必要な構成ではない。
【００３３】
このように密閉袋での内容物の格納と圧縮の作業を終えて、複数の密閉袋を積層又は隣接させておく際、本発明の弁機構１であれば、吸引接続部２が平坦状とされているから、密閉袋の外面への突出がなく、従って平坦で安定した荷姿にすることができる。
【００３４】
次に、図３に示す弁機構１について説明する。図３における実施例では、吸引接続部２は、該吸引接続部２の周縁部の厚みを超えて密閉袋の外側に大きく膨らんだ断面円弧状とされている。そして吸引接続部２は、弁基材３の断面窪状に落とし込まれて前記断面円弧状部位が、該断面窪状の高さを超えないようにしている。つまり、図３における構成においても吸引接続部２は密閉袋の外面側に突出した部分のない形状とされているのである。
【００３５】
また、図３の実施例では、負荷抑制手段２Ｂは、吸引接続部２の面を貫通する孔とされている。この負荷抑制手段２Ｂは、できる限り吸引接続部２の外周部位に設けて、吸引装置のノズルの径に収まらないようにしている。
【００３６】
そして、弁基材３においては、断面窪状の所定高さの側周壁に水平な段部が形成され、この段部にリング部材３ｃが設けられている。このリング部材３ｃと吸引接続部２の凹状部２ｂとが嵌合して該吸引接続部２と弁基材３とを一体としている。
【００３７】
また、図４の実施例は、図３に示す構成と比較して異なる点は、吸引接続部２の周縁部が弁基材３の周縁部の高さと同じとされ、かつ吸引接続部２の外形が弁基材３の周縁部における外形に対し、密閉袋の厚みを除いて隙間なく嵌合する形状とされていることである。つまり、図４における構成においても吸引接続部２は密閉袋の外面側に突出した部分のない形状とされているのである。
【００３８】
そして、図４では、吸引接続部２の中央部が、該吸引接続部２の周縁部より若干低くされて、ここに吸引装置のノズルを位置させるようにしている。さらに、吸引接続部２の低くされた中央部における外周位置に負荷抑制手段２Ｂが設けられている。
【００３９】
また、図５の実施例は、図３に示す構成と比較して異なる点は、吸引接続部２の周縁部の厚みを超えて密閉袋の内側に大きく膨らんだ断面円弧状とされていることである。つまり、図３における構成においても吸引接続部２は密閉袋の外面側に突出した部分のない形状とされているのである。
【００４０】
これら図３〜図５で示す実施例では、吸引接続部２の「密閉袋の外面側に突出した部分のない形状」についての具体的な形状を示したが、密閉袋を積層させたり隣接させても他の例えば密閉袋に引っ掛かったりすることがなく、他の例えば密閉袋を損傷することがなく、また積層させた又は隣接させた荷姿が平坦で安定した状態とすることができる形状であれば、上記に限られるものではない。
【００４１】
【発明の効果】
以上のように、本発明の弁機構は、孔が形成された密閉袋の外面側に取り付けられ、その中央部に通気口が形成される吸引接続部を該密閉袋の外面側に突出した部分のない形状とし、密閉袋の内面側に取り付けられる弁基材を断面窪状としたので、ノズルの径は意識する必要がなくどんな径のノズルであっても使用可能となり、本発明の弁機構を採用した密閉袋を積層させたり隣接させても他の例えば密閉袋に引っ掛かったりすることがなく、よって他の例えば密閉袋を損傷することがなく、また積層させた又は隣接させた荷姿が平坦で安定した状態とすることができる。
【００４２】
また、本発明の弁機構は、上記構成において、弁基材に弾性質のリング部材を一体的に取り付け、吸引接続部における前記弁基材のリング部材取り付け位置に対応する位置に凹状部を形成したので、密閉袋に形成した孔に対して弁機構を取り付ける際、リング部材と凹状部との間で袋が挟まれるからこれら吸引接続部と弁基材を取り付けた部位から外気が流入したりすることがない。また、リング部材を弾性質とすることで、リング部材と凹状部との間で挟まれた袋を破損することが防止される。
【００４３】
また、本発明の弁機構は、上記構成において、弁基材の吸引接続部と結合する面とは反対の面に、吸引開口の周辺部から延びる突条を形成したので、密閉袋内部の空気を排気しても吸引開口が内容物と密着せず、良好に内部の空気を排出することができる。
【００４４】
また、本発明の弁機構は、上記構成において、吸引接続部の通気口周辺に、密閉袋の内部の空気を排気する際に使用する吸引装置の負荷を抑制する負荷抑制手段を設けたので、密閉袋の内部の空気を排出し終えた際にも、密閉袋の内部の空気以外の空気を適度に吸引するから吸引装置の負荷が抑制される。
【図面の簡単な説明】
【図１】本発明の弁機構であり、（ａ）は平面方向から見た図、（ｂ）は（ａ）の横断面図、（ｃ）は底面方向から見た図、である。
【図２】本発明の弁機構であり、  （ａ）はロック状態、（ｂ）はロック解除状態、を各々示す図である。
【図３】本発明の弁機構の吸引接続部の他の構成を示す横断面図である。
【図４】本発明の弁機構の吸引接続部の他の構成を示す横断面図である。
【図５】本発明の弁機構の吸引接続部の他の構成を示す横断面図である。
【符号の説明】
１  弁機構
２  吸引接続部
２ａ  通気口
２ｂ  凹状部
２Ｂ  負荷抑制手段
３  弁基材
３ｂ  吸引開口
３ｃ  リング部材
３ｄ  突条
４  弁本体
【図１】
2005035562.tif 000003
【図２】
2005035562.tif 000004
【図３】
2005035562.tif 000005
【図４】
2005035562.tif 000006
【図５】
2005035562.tif 000007